(57)【要約】      （修正有）【課題】軽い操作力でテープをきれいに切ることができる省力カッターを提供する。【解決手段】本考案に係る省力カッター１は、側縁部１１と、側縁部１１から突き出された凸部１２Ａと側縁部に窪んだ凹部１２Ｂとが交互に並ぶように凹凸状に形成された刃部１２とを有し、凸部１２Ａは、テープと最先に当接する先端の周縁を含む刃先縁１２１と、刃先縁１２１の両側にあってそれぞれ刃先縁１２１と連結されて側縁部１１側に延びる刃根縁１２２とを含む。隣接した二つの刃先縁１２１、１２１間の隣接した二つの刃根縁１２２は連結され、隣接した二つの刃先縁１２１、１２１間の凹部１２Ｂに至るように延伸されて形成されている。凸部１２Ａの先端から凹部１２Ｂの最も窪んだところに至る高さｈ１は、０.１ｍｍ〜０.４ｍｍ、隣接した二つの凸部１２Ａの先端間の間隔ｐ１は、０.４ｍｍ〜０.８ｍｍである。【選択図】図３
0003206592.tif 000002
【実用新案登録請求の範囲】
【請求項１】
切断対象側の側縁部と、
前記側縁部から突き出された凸部と前記側縁部に窪んだ凹部とが交互に並ぶように凹凸状に形成された刃部と、
を有し、
前記凸部は、前記凸部の前記切断対象と最先に当接する先端の周縁を含む刃先縁と、前記刃先縁の両側にあってそれぞれ前記刃先縁と連結されて前記側縁部側に延びる刃根縁と、を含み、
隣接した二つの前記刃先縁間の隣接した二つの前記刃根縁は連結され、隣接した二つの前記刃先縁間の前記凹部に至るように延伸されて形成され、
前記凸部の前記先端から前記凹部の最も窪んだところに至る高さは、０.１ｍｍ〜０.４ｍｍ、隣接した二つの前記凸部の前記先端間の間隔は、０.４ｍｍ〜０.８ｍｍであることを特徴とする省力カッター。
【請求項２】
前記凹部は、隣接した二つの前記刃先縁間の隣接した二つの前記刃根縁が前記側縁部側に延伸されて円弧形状に連結されている、ことを特徴とする請求項１に記載の省力カッター。
【請求項３】
前記刃先縁は円弧形状に突き出されて形成されている、ことを特徴とする請求項２に記載の省力カッター。
【請求項４】
前記高さは、０.１５ｍｍ〜０.３５ｍｍである、ことを特徴とする請求項３に記載の省力カッター。
【請求項５】
前記間隔は、０.４５ｍｍ〜０.６ｍｍであることを特徴とする請求項４に記載の省力カッター。
【考案の詳細な説明】
【技術分野】
【０００１】
本考案は、テープホルダーに保持されているテープを繰出して所要の長さに切断するための省力カッターに関する。
【背景技術】
【０００２】
従来から、接着テープを所要長さに切断した後その切り端がテープ本体にくっついて貼り付くと、見つけ出すのに手間がかかるため、接着テープの切り端を貼着保持し随時テープを引き出して切断刃で所要の長さに切断するためのテープホルダーがよく使われている。切断刃は、そのテープの切り端を貼着保持するブラケットよりも更にテープ引き出し側に設けられ、その上部にテープを切断する刃先を備えている。そして、テープをスムーズに引き裂いて切るために、所定の形状をなした刃先が種々提案されている。例えば、特許文献１又は２に記載された切断刃３、４の刃先としては、図４又は図５に示されたように、ぎざぎざの凹凸状に形成されている。それぞれの刃先は、一番先にテープと当接する凸部としては、その周縁に、正面視で最も突出している尖端縁３１、４１と、この尖端縁３１、４１の両側であってこの尖端縁３１、４１に向かって傾斜方向に延びる傾斜縁３２、３２、４２、４２とを含むように尖って形成されている。傾斜縁３２、４２は、図示の直線Ｌ１、Ｌ２のように尖端縁３１、４１（又は、隣接する尖端縁３１、３１或いは４１、４１間の基端縁）に対して所定の角度だけ傾くようになっている。このように、尖端縁３１又は４１に繰り出されたテープを押し付けて挿入させながらテープを引っ張る操作によってテープが引き裂かれて切断される。
【考案の概要】
【考案が解決しようとする課題】
【０００３】
上記従来の切断刃では、尖端縁３１の両側の傾斜縁３２、３２（又は尖端縁４１の両側の傾斜縁４２、４２）は所定の勾配で傾斜しているのでそれらの間の幅がその傾斜につれて所定の比率で幅広になっている。そのために、テープは粘着面が尖端縁３１から傾斜縁３２と擦れ続けながら切断されていく。このために、切る時に重く感じてより大きい操作力で引き裂く必要があり、テープの切断のスムーズさを阻害する一つの要因となる。また、テープが大きい力で引き裂かれるためにその切り口がより一層ぎざぎざに粗くなる問題点もある。それほど力をかけなくてもテープを切断できるようにするために、傾斜縁３２、４２をより長くすることも考えられるが、そのようにするとテープの切断に時間が掛かる問題が起きる。
本考案は、軽い操作力でテープをきれいに切ることができる省力カッターを提供することを目的とする。
【課題を解決するための手段】
【０００４】
上記目的を達成するために、本考案に係る省力カッターは、切断対象側の側縁部と、前記側縁部から突き出された凸部と前記側縁部に窪んだ凹部とが交互に並ぶように凹凸状に形成された刃部と、を有し、
前記凸部は、前記凸部の前記切断対象と最先に当接する先端の周縁を含む刃先縁と、
前記刃先縁の両側にあってそれぞれ前記刃先縁と連結されて前記側縁部側に延びる刃根縁と、を含み、
隣接した二つの前記刃先縁間の隣接した二つの前記刃根縁は連結され、隣接した二つの前記刃先縁間の前記凹部に至るように延伸されて形成され、
前記凸部の前記先端から前記凹部の最も窪んだところに至る高さは、０.１ｍｍ〜０.４ｍｍ、隣接した二つの前記凸部の前記先端間の間隔は、０.４ｍｍ〜０.８ｍｍである、
ことを特徴とする。
【考案の効果】
【０００５】
刃根縁が、従来の傾斜縁が一定の勾配で傾斜し、刃先縁を挟む両側の刃根縁間がその傾斜につれて幅広になるのではなく、刃先縁の側縁部側の基部側に窪んで曲がるように形成されているので、刃先縁とこれと繋がった刃根縁との間の幅が大きく変化しない。これによって、刃先縁によって刺されて形成されたテープの切り開口が刃根縁に阻害されずスムーズに素早く凹部側に進む。従って、テープを切るときに重く感じることがなく、小さい操作力でスムーズにテープを切断することができる。隣接した二つの刃先縁間の隣接した二つの刃根縁は連結され、隣接した二つの刃先縁間の凹部に至るように延伸されて形成されているので、大きな力で引き裂かれても切り口はそれほど荒くならない。従って、テープをきれいに切ることができる。
【図面の簡単な説明】
【０００６】
【図１】本考案に係る省力カッターの一例を備えたテープホルダーを概略的に示す斜視図である。
【図２】図１に示された省力カッターを示す図である。
【図３】図２の一部を拡大して示す図である。
【図４】従来の切断刃の一例の刃先の一部を示す図である。
【図５】従来の切断刃の他例の刃先の一部を示す図である。
【考案を実施するための形態】
【０００７】
以下、添付図面に従って本考案の一つの好ましい実施の形態について説明する。
【０００８】
図１は、本考案に係る省力カッターの一例を備えたテープホルダーを概略的に示す斜視図である。図１において、符号２はテープホルダーを、１は省力カッター、２１は切断対象としてのテープをそれぞれ示している。テープホルダー２はその一端側にロール状に巻回したテープ２１を着脱可能に装着保持するリール２２を取り付けるための取付穴２０ｃが設けられたホルダー本体２０を有する。リール２２はホルダー本体２０の一端側２０ａに着脱可能且つ回転自在に設けられている。ホルダー本体２０の他端側２０ｂにはブラケット２３を設けている。ブラケット２３は、繰り出されたテープ２１の一端２１ａを貼着保持するテープ保持部２３ａを有する。省力カッター１は、テープ２１を切断するために、テープ保持部２３ａの更にテープ引き出し側に取り付けられている。
【０００９】
省力カッター１は、従来のように一体に成形された板体をテープ２１の引き出された一端２１ａの一面に対して直立して当接するように例えばねじ止めでブラケット２３に固定されている。省力カッター１は、この例では、切断対象物としてのテープ側にテープ２１の引き出された一端２１ａの一面に対して直立して当接する側縁部１１と、テープ２１の一端２１ａが所定の長さに切断されるよう該側縁部１１のテープ２１と当接する端に一体状に連結されるように凹凸状に形成された刃部１２とを有する。
【００１０】
刃部１２は、側縁部１１から突き出されて形成された凸部１２Ａと側縁部１１に窪んで形成された凹部１２Ｂとが交互に並ぶように凹凸状に形成されている。凸部１２Ａは、側縁部１１から突き出され、テープ２１と一番先に当接する先端とその周縁を含む、円弧形状に湾曲して形成された刃先縁１２１と、刃先縁１２１の両側であってこの刃先縁１２１から側縁部１１に向かって延びると共に刃先縁１２１の側縁部１１側の基部１２１ａに向かって円弧形状に窪んで形成された刃根縁１２２とを含んでいる。凹部１２Ｂは、隣接した二つの刃先縁１２１、１２１間の隣接した二つの刃根縁１２２、１２２が側縁部１１側に延伸されて側縁部１１に向かって円弧形状に窪むように連結されている。
【００１１】
また、この例では、刃部１２における刃先縁１２１は、尖った形状ではなく円弧形状に形成され、刃根縁１２２は、刃先縁１２１から連続して延伸されるように刃先縁１２１の基部１２１ａ側に窪んで形成されている。このようにすると、刃部１２は、刃先縁１２１の先端、即ち凸部１２Ａの最も突出しているところから、隣接した刃根縁１２２、１２２の繋がったところ、即ち窪んでなる凹部１２Ｂに至ってＳ字形状のプロファイルとなっている。具体的には、図３に示されているように、刃部１２の凸部１２Ａの最も突き出されたところから凹部１２Ｂの最も窪んでいるところに至る高さｈ１は、０.１ｍｍ〜０.４ｍｍであるとよく、より好ましくは０.１５ｍｍ〜０.３５である。また、隣接した刃先縁１２１の先端間の間隔ｐ１は、０.４ｍｍ〜０.８ｍｍであるとよく、より好ましくは０．４５ｍｍ〜０.６ｍｍである。
【００１２】
以上のように構成された本考案に係る省力カッター１の、テープホルダー２に装着されて用いられる際の動作及び作用について説明する。
【００１３】
テープホルダー２に装着されたテープ２１がその一端２１ａを所要の長さだけテープ保持部２３ａ及び省力カッター１を超えるようにホルダー本体２０から引き出され、テープ保持部２３ａに貼着されながら省力カッター１の刃部１２に押し付けられる。引き出されたテープ２１は上から刃先縁１２１に押し当てられながら凸部１２Ａにより突き刺される。
【００１４】
ここで、刃根縁１２２は、従来の傾斜縁が一定の勾配で傾斜し、刃先縁１２１を挟む両側の刃根縁１２２間がその傾斜につれて幅広になるのではなく、刃先縁１２１の基部１２１ａ側に窪んで曲がるように形成されているので、刃先縁１２１とこれと繋がった刃根縁１２２との間の幅は大きく変化しない。
【００１５】
これによって、刃先縁１２１によって刺されて形成されたテープ２１の切り開口が刃根縁１２２に阻害されずスムーズに素早く凹部１２Ｂ側に進む。そのため、テープ２１を切るときに重く感じることがなく、小さい操作力でスムーズにテープ２１を切断することができる。
【００１６】
また、凹部１２Ｂは、隣接した凸部１２Ａ間の隣接した刃根縁１２２、１２２が繋がって側縁部１１に向かって円弧状に窪んで形成されているので、テープ２１に対して鋭角で接することなく、テープ２１が大きく引き裂かれずにほぼ平らな切り口を得るように切断することができる。従って、本考案に係る省力カッター１によって軽い操作力でテープ２１をきれいに切ることができる。
【００１７】
以上から、本考案に係る省力カッター１については以下の利点が帰納される。
【００１８】
１．刃根縁１２２は、刃先縁１２１の基部１２１ａに向かって円弧形状に窪んで形成されていることによって、従来の切断刃の一定の勾配で傾いて延びた傾斜縁と比べて、刃先縁１２１から刃根縁１２２までの凸部１２Ａは所定勾配に応じた所定の比率で幅広くならないため、テープ２１を切断するのに阻害されずに済み、小さい操作力で切断することができる。
【００１９】
２．刃根縁１２２は刃先縁１２１の基部１２１ａ側に窪んで緩やかに曲がるように形成されているので、刃先縁１２１とこれと繋がった刃根縁１２２との間の幅が大きく変化しない。これによって、テープ２１が刃先縁１２１によって刺されてから刃根縁１２２に阻害されずスムーズに素早く凹部１２Ｂに進むことができる。これによって、テープ２１を切るときに重く感じることがなく、小さい操作力でテープ２１の切断を行うことができる。
【００２０】
３．凹部１２Ｂは、隣接した凸部１２Ａ間の隣接した刃根縁１２２、１２２が繋がって側縁部１１に向かって円弧状に窪んで形成されており、刃部１２が円弧形状になった凸部１２Ａと円弧形状になった凹部１２ＢとによりＳ字形状が連続して緩やかな波形状になっているので、テープ２１が大きな力で引き裂かれても切り口がそれほど荒くならない。従って、テープ２１をきれいに切ることができる。
【００２１】
本考案は、最も現実的で好ましい実施形態を考慮したものに関連して記載されているが、本考案が、開示された実施形態に限定されるものではなく、全ての修正及び等価な構成を包含するような、最も広い解釈の精神及び範囲内に含まれる種々の構成を含むものであると理解されるだろう。
【産業上の利用可能性】
【００２２】
本考案に係る省力カッターは、素早くテープを切断するテープホルダーに用いられる切断刃として有用である。
【符号の説明】
【００２３】
１    省力カッター
１１    側縁部
１２    刃部
１２１    刃先縁
１２１ａ    基部
１２２    刃根縁
１２Ａ    凸部
１２Ｂ    凹部
２    テープホルダー
２０    ホルダー本体
２０ａ    一端側
２０ｂ    他端側
２０ｃ    取付穴
２１    テープ
２２    リール
２３    ブラケット
２３ａ    テープ保持部
ｈ１    高さ
ｐ１    間隔
【図１】
0003206592.tif 000003
【図２】
0003206592.tif 000004
【図３】
0003206592.tif 000005
【図４】
0003206592.tif 000006
【図５】
0003206592.tif 000007